【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
術者の術者識別情報と、当該術者が行うことができる術式を示す術式情報とを対応付けて記憶する術者情報データベースと、患者の検査情報を記憶する検査情報データベースと、前記術者識別情報と当該術者識別情報が示す術者の手術可能日のスケジュール情報とを対応付けて示す術者スケジュールデータベースとの間で通信を行うインターフェースと、
手術のスケジュールを決定する対象となる患者の各々について、当該患者の患者識別情報と、当該患者の手術を行う術者を示す術者識別情報と、当該患者の手術の術式を示す術式情報と、当該患者の術日情報と、当該患者の手術の順番を示す術順情報とを対応付けて示す項目を規定した手術スケジュールデータを記憶するメモリと、
患者の手術のスケジュールを決定する処理を行う処理手段と
を有し、
前記処理手段は、
前記手術スケジュールデータを基に、手術のスケジュールを決定する対象となる複数の患者の各々について、当該患者の前記患者識別情報と、当該患者の前記術式情報と、当該患者の前記術者識別情報と、当該患者の前記手術のスケジュールを決定するために利用される参考情報とを所定の画面領域内で対応付けて示す患者表示ブロックが前記術順情報を基に規定された順序で配置された手術スケジュール決定画面を表示する処理と、
前記手術スケジュール決定画面上での操作者の指定操作に応じて前記患者表示ブロックが指定されると、当該指定された患者表示ブロックに対応付けられた前記患者識別情報を検索キーとして用いて前記メモリに記憶された前記手術スケジュールデータを参照して、当該患者識別情報に対応付けられた前記術者識別情報を取得し、術者が未決定であることを当該術者識別情報が示すか否かを判断し、未決定であることを示すと判断した場合に、当該患者識別情報に対応付けられた前記術式情報を前記手術スケジュールデータを参照して取得し、当該取得した前記術式情報を検索キーとして用いて前記術者情報データベースにアクセスして、当該術式情報の術式を行うことできる前記術者識別情報を取得し、当該取得した術者識別情報の一覧を示す術者候補表示欄を画面表示し、当該術者候補表示欄上で前記操作者の操作によって指定操作された前記術者識別情報を、前記指定された患者表示ブロックの患者の前記術者識別情報として更新すると共に画面表示する処理と、
前記患者表示ブロック内で対応付けられた前記患者識別情報を検索キーとして用いて前記検査情報データベースを検索して、当該患者識別情報に対応付けられた前記検査情報を取得して前記参考情報として、当該患者識別情報に対応した前記患者表示ブロック内に表示する処理と、
前記手術スケジュール決定画面上で前記患者表示ブロックが指定操作されると、前記手術スケジュールデータを基に、当該指定操作された患者表示ブロックの前記術日情報が示す手術日を手術可能日として示している前記術者識別情報を前記術者スケジュールデータベースにアクセスして取得し、当該取得した術者識別情報を前記術者候補表示欄内に表示し、前記術者候補表示欄内に表示された前記術者識別情報が操作者の指定操作によって選択されると、当該選択された術者識別情報を前記指定操作された前記患者表示ブロックに対応付ける処理と、
前記手術スケジュール決定画面上での操作者の指定操作に応じて前記患者表示ブロックの画面上での移動操作を検出すると、画面上での当該患者表示ブロックの移動操作先の位置と、他の前記患者表示ブロックの表示位置との位置関係に基づいて、当該移動操作によって術順が変更になる前記患者表示ブロックを特定し、当該特定した患者表示ブロックに対応する前記術順情報を前記位置関係に基づいて更新する処理と、
前記検出した前記移動操作によって術順が変更になる前記患者表示ブロックの前記術者識別情報を検索キーとして前記術者スケジュールデータベースにアクセスして当該術者識別情報に対応付けられた前記スケジュール情報を取得し、当該取得したスケジュール情報を基に、当該術者識別情報で示される術者が変更後の術順で前記手術を行うことができるか否かを判断し、変更後の術順で手術を行えないと判断した場合に、その旨を示す情報を表示する処理と、
前記変更後の術順で前記手術を行うことできないと判断した前記患者表示ブロックの前記術式情報を検索キーとして用いて前記術者情報データベースにアクセスして、当該術式情報が示す術式を行うことできる他の前記術者識別情報を取得し、当該取得した術者識別情報の一覧を示す術者候補表示欄を表示し、当該術者候補表示欄上で指定操作された術者識別情報を前記手術スケジュールデータ内の当該患者の項目の前記術者識別情報として更新登録すると共に、前記患者表示ブロック内に表示する処理と
を行う
手術スケジュール決定装置。
【請求項２】
前記術者情報データベースは、前記術者情報が示す術者の術式へのスキルレベル情報をさらに対応付けて示し、
前記処理手段は、前記術者候補表示欄に表示する前記術者識別情報を検索キーとして前記術者情報データベースを検索して当該術者識別情報に対応付けられた前記スキルレベル情報を取得し、当該取得したスキルレベル情報を基に前記術者識別情報をソートして表示順を決定し、前記術者識別情報を前記決定した表示順で前記術者候補表示欄内に表示する処理を行う
請求項１に記載の手術スケジュール決定装置。
【請求項３】
前記メモリは、前記術式情報と当該術式情報が示す術式の手術の予測術時間情報とを対応付けて示す術式予測術時間データと、手術開始時刻情報とを記憶し、
前記処理手段は、前記特定した前記移動操作によって術順が変更になる前記患者表示ブロックについて、当該患者表示ブロックより術順が早い前記患者表示ブロックに対応付けられた前記術式情報を基に、前記メモリに記憶された前記術式予測術時間データにアクセスして前記予測術時間情報を取得し、当該取得した前記予測術時間情報と前記手術開始時刻情報とを基に、手術の時間帯の予測を示す予測手術時間帯情報を生成し、当該予測手術時間帯情報と前記スケジュール情報とに基づいて、前記変更後の術順で手術を行うことができるか否かを判断する処理を行い、
前記変更後の術順で行うことができないと判断した手術について、当該手術の術式情報を前記手術スケジュールテーブルデータから取得し、当該術式情報を検索キーとして用いて前記術者情報テーブルデータを検索して、当該手術の術式を行うことできる他の術者の術者識別情報を取得し、当該取得した術者識別情報を検索キーとして用いて前記術者スケジュールデータベースにアクセスを行い、当該術者識別情報に対応付けられた手術可能時間帯情報を取得し、当該取得した手術可能時間帯情報と、上記変更後の予測手術時間帯情報とを比較して、上記変更後の予測手術時間帯で手術が可能な術者識別情報を特定して表示する処理を行う
請求項２に記載の手術スケジュール決定装置。
【請求項４】
術者の術者識別情報と、当該術者が行うことができる術式を示す術式情報とを対応付けて記憶する術者情報データベースと、患者の検査情報を記憶する検査情報データベースと通信を行いながら、患者の手術のスケジュールをコンピュータが決定する手術スケジュール決定方法であって、
前記コンピュータは、
手術のスケジュールを決定する対象となる患者の各々について、当該患者の患者識別情報と、当該患者の手術を行う術者を示す術者識別情報と、当該患者の手術の術式を示す術式情報と、当該患者の手術の順番を示す術順情報とを対応付けて示す項目を規定した手術スケジュールデータを記憶するメモリと、
患者の手術のスケジュールを決定する処理を行う処理手段と
を有し、
前記手術スケジュールデータを基に、手術のスケジュールを決定する対象となる複数の患者の各々について、当該患者の前記患者識別情報と、当該患者の前記術式情報と、当該患者の前記術者識別情報と、当該患者の前記手術のスケジュールを決定するために利用される参考情報とを所定の画面領域内で対応付けて示す患者表示ブロックが前記術順情報を基に規定された順序で配置された手術スケジュール決定画面を表示する第１の工程と、
前記手術スケジュール決定画面上での操作者の指定操作に応じて前記患者表示ブロックが指定されると、当該指定された患者表示ブロックに対応付けられた前記患者識別情報を検索キーとして用いて前記メモリに記憶された前記手術スケジュールデータを参照して、当該患者識別情報に対応付けられた前記術者識別情報を取得し、術者が未決定であることを当該術者識別情報が示すか否かを判断し、未決定であることを示すと判断した場合に、当該患者識別情報に対応付けられた前記術式情報を前記手術スケジュールデータを参照して取得し、当該取得した前記術式情報を検索キーとして用いて前記術者情報データベースにアクセスして、当該術式情報の術式を行うことできる前記術者識別情報を取得し、当該取得した術者識別情報の一覧を示す術者候補表示欄を画面表示し、当該術者候補表示欄上で前記操作者の操作によって指定操作された前記術者識別情報を、前記指定された患者表示ブロックの患者の前記術者識別情報として更新すると共に画面表示する第２の工程と、
前記患者表示ブロック内で対応付けられた前記患者識別情報を検索キーとして用いて前記検査情報データベースを検索して、当該患者識別情報に対応付けられた前記検査情報を取得して前記参考情報として、当該患者識別情報に対応した前記患者表示ブロック内に表示する第３の工程と、
前記手術スケジュール決定画面上で前記患者表示ブロックが指定操作されると、前記手術スケジュールデータを基に、当該指定操作された患者表示ブロックの前記術日情報が示す手術日を手術可能日として示している前記術者識別情報を前記術者スケジュールデータベースにアクセスして取得し、当該取得した術者識別情報を前記術者候補表示欄内に表示し、前記術者候補表示欄内に表示された前記術者識別情報が操作者の指定操作によって選択されると、当該選択された術者識別情報を前記指定操作された前記患者表示ブロックに対応付ける第４の工程と、
前記手術スケジュール決定画面上での操作者の指定操作に応じて前記患者表示ブロックの画面上での移動操作を検出すると、画面上での当該患者表示ブロックの移動操作先の位置と、他の前記患者表示ブロックの表示位置との位置関係に基づいて、当該移動操作によって術順が変更になる前記患者表示ブロックを特定し、当該特定した患者表示ブロックに対応する前記術順情報を前記位置関係に基づいて更新する第５の工程と、
前記検出した移動操作によって術順が変更になる前記患者表示ブロックの前記術者識別情報を検索キーとして前記術者スケジュールデータベースにアクセスして当該術者識別情報に対応付けられた前記スケジュール情報を取得し、当該取得したスケジュール情報を基に、当該術者識別情報で示される術者が変更後の術順で前記手術を行うことができるか否かを判断し、変更後の術順で手術を行えないと判断した場合に、その旨を示す情報を表示する第６の工程と、
前記変更後の術順で前記手術を行うことできないと判断した前記患者表示ブロックの前記術式情報を検索キーとして用いて前記術者情報データベースにアクセスして、当該術式情報が示す術式を行うことできる他の前記術者識別情報を取得し、当該取得した術者識別情報の一覧を示す術者候補表示欄を表示し、当該術者候補表示欄上で指定操作された術者識別情報を前記手術スケジュールデータ内の当該患者の項目の前記術者識別情報として更新登録すると共に、前記患者表示ブロック内に表示する第７の工程と
を前記処理手段が実行する
手術スケジュール決定方法。